(57)【特許請求の範囲】
【請求項１】
絶縁媒体を充填した少なくとも一つの消弧室を具備し、この消弧室が円筒状に形成され、中心軸線（２）に沿って延び、そして電力電流経路を有し、更に、固定された２個の消耗接触子構造体（５，６）を具備し、この消耗接触子構造体が中心軸線（２）上に設けられ、軸方向において互いに離隔され、そして電力電流経路内に配置され、更に可動の橋絡接触子を具備し、この橋絡接触子が閉合状態で消耗接触子構造体（５，６）を導電的に接続し、更に、固定された消耗接触子構造体（５，６）の間に設けられたアーク領域（２４）と、電力電流経路に対して平行に配置され、可動の定格電流接触子を備えた定格電流経路を具備している、電力遮断器において、
−可動な定格電流接触子（５６）が、少なくとも１個のレバーリンクを介して橋絡接触子（３）に連結されていること、
−定格電流接触子（５６）が、常に橋絡接触子（３）よりも遅い速度で動くように、このレバーリンクが形成されていること、
消耗接触子構造体（５，６）がそれぞれ、アーク領域（２４）から離れた側に、アーク領域（２４）から隣接する排出室（１８，１９）内へイオン化されたガスを制御して排出するための開口（２５，２６）を備えていること、及び
排出室（１８，１９）がそれぞれ壁によって画成され、第１の排出室（１８）が第１のケーシング壁（４２）と、このケーシング壁に連結された第１の支持体（８）と、閉鎖蓋（４３）とによって形成され、第２の排出室（１９）が第２のケーシング壁（４６）と、このケーシング壁に連結された支持体（１３）と、蓋（４７）とによって形成され、
第１のケーシング壁（４２）が少なくとも１本の絶縁管（４５）によって第２のケーシング壁（４６）に連結され、両ケーシング壁（４２，４６）の間に、電気的に絶縁する間隔（ｂ）が設けられていることを特徴とする電力遮断器。
【請求項２】
定格電流軌道の可動な定格電流接触子（５６）が、アーク領域（２４）から完全に分離された室（５７）内に配置されていることを特徴とする請求項１に記載の電力遮断器。
【請求項３】
橋絡接触子（３）が消耗接触子構造体（５，６）内において中心軸線（２）に沿って延長するように配置されていることを特徴とする請求項１又は２に記載の電力遮断器。
【請求項４】
橋絡接触子（３）が接触子ピン（３）として形成されていることを特徴とする請求項１〜３のいずれか１項に記載の電力遮断器。
【請求項５】
接触子ピン（３）が１０〜２０ｍ／秒の範囲の遮断速度で駆動されることを特徴とする請求項４に記載の電力遮断器。
【請求項６】
固定された消耗接触子構造体（５，６）の間に、リング状に形成されたノズル領域が配置され、このノズル領域がリング状に形成され絶縁隔壁（１６）によって画成された貯蔵室（１７）に開放していることを特徴とする請求項１〜５のいずれか１項に記載の電力遮断器。
【請求項７】
貯蔵室（１７）が、管（２２，２２ａ）を通じて円筒体（４８）に連結されていて、圧縮ピストン（５１）が、この円筒体（４８）によって案内され、前記圧縮ピストン（５１）が橋絡接触子（３）によって操作される時に、絶縁媒体が、前記管（２２，２２ａ）を通じて前記貯蔵室（１７）を付加的に圧力付勢することを特徴とする請求項６に記載の電力遮断器。
【請求項８】
消耗接触子構造体（５，６）の構成要素が同じ部品として形成され、この同じ部品が中心軸線（２）に対して垂直な対称平面に関して鏡像対称的に配置されていることを特徴とする請求項１〜７のいずれか１項に記載の電力遮断器。
【請求項９】
第１のケーシング壁（４２）が第２のケーシング壁（４６）と接触子フィンガー（５６）と共に電力遮断器の定格電流経路を形成し、この接触子フィンガーが第１のケーシング壁（４２）と第２のケーシング壁（４６）の間の電気絶縁する間隔（ｂ）を導電的に橋絡し、
第１のケーシング壁（４２）と第２のケーシング壁（４６）が同じ部品として形成され、この同じ部品が中心軸線（２）に対して垂直な対称平面に対して鏡像対称的に配置されていることを特徴とする請求項１記載の電力遮断器。
【請求項１０】
消耗接触子構造体（５，６）が少なくとも１個の吹き消しコイル（３０，３１）を備えていることを特徴とする請求項１〜９のいずれか１項に記載の電力遮断器。
【発明の詳細な説明】
【０００１】
【発明の属する技術分野】
本発明は、絶縁媒体を充填した少なくとも一つの消弧室を具備し、この消弧室が円筒状に形成され、中心軸線に沿って延び、そして電力電流経路を有し、更に、固定された２個の消耗接触子構造体を具備し、この消耗接触子構造体が中心軸線上に設けられ、軸方向において互いに離隔され、そして電力電流経路内に配置され、更に可動の橋絡接触子を具備し、この橋絡接触子が閉合状態で消耗接触子構造体を導電的に接続し、更に、固定された消耗接触子構造体の間に設けられたアーク領域と、電力電流経路に対して平行に配置され、可動の定格電流接触子を備えた定格電流経路を具備している、電力遮断器に関する。
【０００２】
【従来の技術】
ドイツ連邦共和国特許出願公開第４２００８９６号公報により、互いに離隔され固定された２個の消耗接触子を有する消弧室を備えた電力遮断器が知られている。消弧室には絶縁ガス、特にＳＦ6 ガスが圧力を加えて充填されている。消弧室の接続状態では、両消耗接触子は可動の橋絡接触子によって互いに導電的に接続される。橋絡接触子は円筒状に形成された消耗接触子を同心的に取り囲んでいる。橋絡接触子と両消耗接触子は遮断時にのみ電流を加えられる電力電流経路を形成している。遮断の際、橋絡接触子は第１の消耗接触子から下方へ滑り、アークを発生する。このアークは先ず最初に、第１の消耗接触子とそれに付設された橋絡接触子の端部との間で燃える。この端部が第２の消耗接触子に達するや否や、アーク基部は橋絡接触子の端部から第２の消耗接触子に方向を変える。今や、アークは両消耗接触子の間で燃え、そして吹き消される。吹き消しのために必要な圧力付勢された絶縁ガスは通常は、可動の橋絡接触子に連結された吹き消しピストンによって発生する。
【０００３】
この電力遮断器は更に、電力電流経路に対して平行に定格電流経路を備えている。この定格電流経路は電力遮断器が閉鎖（接続）したときに動作電流を案内する。定格電流経路は電力電流経路の周りに同心的に配置されている。橋絡接触子は、定格電流経路内に配置された可動の定格電流接触子に機械的に固定連結されている。遮断（開放）時に先ず最初に、定格電流経路が中断され、そして中断すべき電流が電力電流経路に方向を変え、この電力電流経路で上述のようにアークが発生し、そして消される。
【０００４】
橋絡接触子は、その寸法が原因で、比較的に大きな、動かすべき質量を有する。この質量を開閉時に加速および減速しなければならない。この電力遮断器の駆動装置はそのために必要なエネルギーを準備しなければならない。
ドイツ連邦共和国特許出願公開第３１２７９６２号公報により、他の電力遮断器が知られている。この電力遮断器は、互いに離隔された固定の２個の消耗接触子を有する消弧室を備えている。消弧室には圧力下の絶縁ガス、特にＳＦ6 ガスが充填されている。消弧室の接続状態では、両消耗接触子は可動の橋絡接触子によって導電的に互いに連結されている。橋絡接触子は円筒状に形成された消耗接触子を同心的に取り囲んでいる。橋絡接触子はここでは同時に定格電流接触子として形成されている。この電力遮断器の開放は上記の電力遮断器と同じように行われる。
【０００５】
この橋絡接触子は同様に、その寸法が原因で、比較的に大きな、動かすべき質量を有する。この質量を開閉時に加速および減速しなければならない。この電力遮断器の駆動装置はそのために必要なエネルギーを準備しなければならない。
【０００６】
【発明が解決しようとする課題】
本発明の課題は、少ないエネルギーで済む比較的に小さな駆動装置によって、橋絡接触子の速度を高めることができる、冒頭に述べた種類の電力遮断器を提供することである。更に、電力遮断器の定格電流経路は非常に長い寿命を有するようにすべきである。
【０００７】
【課題を解決するための手段】
請求項１記載の電力遮断器の場合には、橋絡接触子が消耗接触子構造体内に中心軸線に沿って延びるよう配置されているので、橋絡接触子は小さな直径に、ひいては非常に小さな質量に形成可能である。従って、この電力遮断器は比較的に大きな遮断速度で動作可能である。なぜなら、質量の小さな橋絡接触子を、比較的に小型の安価な駆動装置で効果的に加速し、遮断運動の終わりに再び確実に制動することができるからである。
【０００８】
橋絡接触子は更に、簡単な接触子ピンとして形成されている。この接触子ピンは弾性的な接触子要素を備えておらず、従って比較的に簡単にかつ低コストで製作可能である。
可動の定格電流接触子が、速度を減速するレバーリンクを介して定格電流接触子に連結された橋絡接触子よりもはるかにゆっくり動かされる。定格電流接触子の寿命は、機械的応力が小さいので延びる。これは電力遮断器の有用性を大幅に改善する。
【０００９】
この電力遮断器の実施形の場合には、可動の定格電流接触子は、アークによる加熱ガスとエロージョン粒子を発生する電力遮断器の範囲から完全に分離された室に収容されている。従って、この加熱ガスとエロージョン粒子は定格電流接触子に悪影響を与えないので、その安定性ひいてはその寿命が延びるという利点がある。
【００１０】
本発明による電力遮断器の実施形は更に、消耗接触子構造体と、同一部品からなるケーシング部分の一部が対称平面に対して鏡像対称的に形成されていることにより、コストを更に下げることができる。
本発明の他の実施形は従属請求項に記載されている。
【００１１】
【発明の実施の形態】
次に、実施の形態を示す図に基づいて、本発明、その実施形およびそれによって得られる効果を詳しく説明する。
すべての図において、同じように作用する要素には同じ参照符号が付けてある。本発明の直接的な理解のために必要でないすべての部品は図示していない。
【００１２】
図１は本発明による電力遮断器の第１の実施の形態の消弧室の接触子領域１の接続状態の概略断面図である。消弧室は中心軸線２の周りに対称に配置されている。この中心軸線２に沿って、円筒状に形成された金属製の接触子ピン（開閉ピン）３が延びている。この接触子ピンは図示していない駆動装置によって中心軸線２に沿って移動可能である。接触子ピン３は誘電性的に所望な形に形成された尖端部４を備えている。この尖端部は必要に応じて、耐食性の導電性材料を備えていてもよい。接続状態では、接触子ピン３は２個の消耗接触子構造体５，６の間の間隔ａを導電的に橋絡している。
【００１３】
消耗接触子構造体５は概略的に示した接触子プランジャ（接触子保持器）７を備えている。この接触子プランジャは板状に形成された金属製支持体８の段部に導電的に連結されている。接触子プランジャ７は金属製の接触子フィンガーを備えている。この接触子フィンガーは接触子ピン３の表面に弾性的に接触している。消耗接触子構造体６寄りの支持体８の側において、両接触子構造体５，６の間の最小間隔の個所には、消耗板９が公知の方法によってこの支持体８に連結され、接触子フィンガーの端部１０が消耗しないよう保護されるように連結されている。消耗板９は好ましくはグラファイトで作られているがしかし、例えばタングステン銅化合物のような耐食性の他の導電性材料からなっていてもよい。支持体８から離れた消耗板９の表面は、耐食性の絶縁材料からなるリング状に形成されたカバー３６によって、アークの作用に対して保護されている。カバー３６は更に、アーク基部が貯蔵室１７内に深く移動することを防止する。
【００１４】
消耗接触子構造体６は消耗接触子構造体５の構造と一致している。勿論、消耗接触子構造体６は消耗接触子構造体５に対して鏡像対称的に配置されている。一点鎖線１１は鏡面を示している。この鏡面に対して中心軸線２は垂直である。消耗接触子構造体６は概略的に示した接触子プランジャ１２を備えている。この接触子プランジャは板状に形成された金属製支持体１３の段部に導電的に連結されている。接触子プランジャ１２は金属製の接触子フィンガーを備えている。この接触子フィンガーは接触子ピン３の表面に弾性的に接触している。消耗接触子構造体５の寄りの支持体１３の側において、両接触子構造体５，６の間の最小間隔の個所には、消耗板１４が公知の方法によってこの支持体１３に連結され、接触子フィンガーの端部１５が消耗しないよう保護されるように連結されている。消耗板１４は好ましくはグラファイトで作られているがしかし、例えばタングステン銅化合物のような耐食性の他の導電性材料からなっていてもよい。支持体１３から離れた消耗板１４の表面は、耐食性の絶縁材料からなるリング状に形成されたカバー４１によって、アークの作用に対して保護されている。カバー４１は更に、アーク基点が貯蔵室１７内に深く移動することを防止する。
【００１５】
支持体８と１３の間には、中心軸線に対して同心的に配置された絶縁材料製の環状の隔壁１６が挟持されている。支持体８，１３と隔壁１６はリング状に形成れた貯蔵室１７を画成している。この貯蔵室はアークを吹き消すための圧力付勢れた絶縁ガスを貯蔵するよう設計されている。支持体８は円筒状に形成されかつ金属製壁によって完全に取り囲まれた排出室１８の端面である。支持体１３は円筒状に形成されかつ金属製壁によって完全に取り囲まれた排出室１９の端面である。定格電流経路が設けられていると、この定格電流経路内に設けられた可動の定格電流接触子が、電力遮断器の閉鎖状態で、両排出室１９，２０の金属壁の間を導電的に接続する。この場合、接触子ピン３を通って比較的に小さな制御電流が流れる。
【００１６】
支持体１３は穴２０を備えている。この穴は略示した逆止弁２１によって閉鎖されている。穴２０には管２２が接続されている。この管は接触子ピン３に作用連結されているピストン−シリンダ−装置によって遮断時に圧縮される絶縁ガスを、貯蔵室１７に案内する。しかし、貯蔵室１７内への圧力付勢された絶縁ガスの流入は、貯蔵室１７内の圧力が管２２内の圧力よりも低いときにのみ可能である。
【００１７】
図２は遮断中の本発明による電力遮断器の消弧室の第１の実施の形態の接触子領域１の概略断面図である。接触子ピン３はその矢印２７方向のその遮断運動の過程で消耗板９と１４の間にアーク２３を発生する。このアーク２３はそれを取り囲む絶縁ガスに熱負荷を加え、それによってアーク領域２４と呼ばれる消弧室のこの範囲の圧力を短時間高める。圧力付勢された絶縁ガスは貯蔵室１７内で短時間蓄えられる。しかし、圧力付勢された絶縁ガスの一部は一方では開口２５を通って排出室１８に流出し、他方では開口２６を通って排出室１９に流出する。
【００１８】
接触子ピン３はピストン−シリンダ−装置に連結されている。このピストン−シリンダ−装置では遮断時に絶縁ガスが圧縮される。この圧縮された絶縁ガスは、貯蔵室１７内の圧力が管２２内の圧力よりも低いときに、矢印２８で示すように管２２を通って貯蔵室１７に導入される。これは例えば、アーク２３がアーク領域２４を充分に加熱しないほど、アークの電流が小さい場合である。しかし、大きな電流のアーク２３がアーク領域２４を非常に強く加熱し、貯蔵室１７内に高い絶縁ガス圧力が発生すると、所定の限界値を超えた後で、圧力逃がし弁２９が開放し、過剰の圧力が排出室１８に逃げて低下する。電力遮断器が例えば比較的に小さな遮断電流のためにのみ設計されていると、圧力逃がし弁を省略することができる。
【００１９】
アーク２３が中心軸線２の回りに回転すると、それによって公知のごとくアーム領域２４が非常に強く加熱される。図３は、遮断状態の本発明による電力遮断器の吹き消しコイル３０，３１を備えた接触子領域の部分断面図である。吹き消しコイル３０，３１の磁場は公知のごとく遮断時にアーム２３を回転させる。吹き消しコイル３０は支持体８の凹部にはめ込まれている。この場合、巻線の一端３２は金属製の露出した接触面を備えている。この接触面はボルト３３によって支持体８の金属製の露出した表面に押しつけられている。それによって、巻線端部３２は支持体８に導電的に連結されている。支持体８寄りの吹き消しコイル３０の他の表面と支持体８との間には、電気絶縁体３４が設けられている。この絶縁体３４は更に、吹き消しコイル３０の巻線を互いに離隔している。吹き消しコイル３０の巻線の他端３５は消耗板９に導電的に連結されている。支持体８から離れた吹き消しコイル３０の表面と、消耗板９の表面の一部は、耐食性絶縁材料からなるカバー３６によってアーク作用に対して保護されている。
【００２０】
吹き消しコイル３１は支持体１３の凹部にはめ込まれている。この場合、巻線の一端３７は金属製の露出した接触面を備えている。この接触面はボルト３８によって支持体１３の金属製の露出した表面に押しつけられている。それによって、巻線端部３７は支持体１３に導電的に連結されている。支持体１３寄りの吹き消しコイル３１の他の表面と支持体１３との間には、電気絶縁体３９が設けられている。この絶縁体３９は更に、吹き消しコイル３１の巻線を互いに離隔している。吹き消しコイル３１の巻線の他端４０は消耗板１４に導電的に連結されている。支持体１３から離れた吹き消しコイル３１の表面と、消耗板１４の表面の一部は、耐食性絶縁材料からなるカバー４１によってアーク作用に対して保護されている。
【００２１】
吹き消しコイル３０，３１によって発生した磁場が互いに強化し合うように、両吹き消しコイル３０，３１は配置されている。この実施の形態の場合、両カバー３６，４１はリング状のノズル通路を形成している。このノズル通路の狭い個所は間隔ａを有し、ノズル通路は貯蔵室１７に移行するまで半径方向に拡がっている。
【００２２】
図４は本発明による電力遮断器の概略断面図である。図の右側半部には、電力遮断器の閉鎖状態が示してあり、図の左側半部には開放状態が示してある。電力遮断器は中心軸線２に対して同心的に形成され、その電力接触子は吹き消しコイル３０，３１を備えている。圧力下の絶縁ガス、特にＳＦ6 ガスを充填した排出室１８は、支持体８と、この支持体に連結された、円筒状に形成されたケーシング壁４２と、支持体８に対向している、圧力を漏らさぬようケーシング壁４２にねじ止めされた閉鎖蓋４３とによって形成されている。閉鎖蓋４３は中央に、円筒状に形成された、開口２５の方へ延びるデフレクタ（流れ偏向部材）４４を備えている。ケーシング壁４２と閉鎖蓋４３は、支持体８と同様に、一般的に導電性の良好な金属によって作られている。
【００２３】
ケーシング壁４２は円筒状に形成された絶縁管４５に圧密に連結されている。絶縁管４５はケーシング壁４２と反対の側において、円筒状に形成された他のケーシング壁４６に圧密に連結されている。ケーシング壁４６はケーシング４２と同一に形成され、ケーシング壁４２と鏡像対称的に配置されている。この場合、一点鎖線１１は対称面を示している。絶縁管４５は絶縁性隔壁１６に対して同心的に配置されている。ケーシング壁４６は支持体１３に連結されている。圧力下の絶縁ガス、特にＳＦ6 ガスを充填した排出室１９は、支持体１３と、この支持体に連結されたケーシング壁４６と、支持体１３に対向している、圧力を漏らさぬようケーシング壁４６にねじ止めされた蓋４７とによって形成されている。蓋４７は中央に円筒体４８を備えている。ケーシング壁４６と蓋４７は支持体１３と同様に、一般的に導電性の良好な金属によって作られている。両ケーシング壁４２と４６は間隔ｂだけ離れている。ケーシング壁４２は外側に、電気的端子４９のための固定手段を備えている。ケーシング壁４６は外側に、電気的端子５０のための固定手段を備えている。絶縁管４５は両ケーシング壁４２，４６によって形成された凹部内に配置されている。それによって、絶縁管４５を軸方向に付勢する、排出室１８，１９内の圧力によって生じる引張り力は最小となる。この窪んだ配置構造のために、絶縁管４５の外側表面は運搬による損傷に対してきわめて良好に保護される。
【００２４】
円筒体４８内で圧縮ピストン５１が案内されている。この圧縮ピストンは接触子ピン３に連結されている。圧縮ピストン５１は接触子ピン３の遮断運動時に、円筒体４８内にある絶縁ガスを密封する。圧縮された絶縁ガスは、貯蔵室内の圧力が低いときに略示した管２２，２２ａを通って貯蔵室１７に流入する。この円筒体４８内で高すぎる圧縮圧力が発生すると、この圧力は図示していない圧力逃がし弁を通って排出室１９に逃げて低下する。
【００２５】
接触子ピン３は図示していない駆動装置によって動かされる。接触子ピン３には少なくとも１本のレバー５２が枢着されている。このレバーの他端はケーシング壁４６に回転可能かつ摺動可能に支承されている。このレバー５２には、揺れ腕５３が回転可能に連結されている。この揺れ腕はレバー５２によって加えられる力を、枢着されたロッド５４に伝達する。このロッド５４は中心軸線２の方向に対して平行に移動する。ロッドはケーシング壁４６と支持体１３内で小さな摩擦でもって案内されている。ロッド５４の他端は三角形として略示されたフィンガー保持器５５に連結されている。このフィンガー保持器５５は、個別的に弾性的に懸吊された多数の接触子フィンガー５６を保持する働きをする。傾斜しないようにするために、図４に示すように、フィンガー保持器５５をを操作するためのこのようなレバーリンクが少なくとも２本設けられている。接触子フィンガー５６は、接続状態で、電力遮断器の定格電流経路の可動部分を形成する。図４の右側部分において、フィンガー保持器５５は電力遮断器の接続状態にあり、接触子フィンガー５６はこの位置で間隔ｂを導電的に橋絡している。そのとき、電力遮断器を通る電流は、端子４９からケーシング壁４２と接触子フィンガー５６とケーシング壁４６を経て端子５０に流れる。
【００２６】
定格電流経路の可動部分を収納する空間５７は、絶縁性隔壁１６と、支持体８，１３によってアーク領域２４から完全に分離されているので、アーク領域２４内で発生したエロージョン粒子が定格電流接触子の範囲に達することがなく、定格電流接触子が悪影響を受けることがない。それによって、定格電流接触子の寿命が非常に長くなるという利点がある。これは電力遮断器の利用性を増大するという利点がある。
【００２７】
それぞれレバー５２、揺れ腕５３およびロッド５４からレバーリンクは、図示していない駆動装置によって発生する、接触子ピン３の比較的に速い遮断速度（１０〜２０ｍ／秒の範囲内にある）が約１〜２ｍ／秒のフィンガー保持器５５の遮断速度（この速度は約１０分の１である）に変換されるように設計されている。フィンガー保持器５５のこのゆっくりした運動により、フィンガー保持器の機械的応力と、接触子フィンガー５６の機械的応力が小さいので、これらの部品は比較的に軽量に形成可能である。なぜなら、これらの部品は大きな機械的応力に耐える必要がないからである。比較的に軽量であるので、接触子フィンガー５６には大きな機械的反力が作用しない。従って、接触子フィンガー５６をケーシング壁４２，４６に設けられた接触面に押しつけるばねは比較的に弱く形成することができる。接触子フィンガー５６の接触個所の損耗と、接触ビンガー５６がスライドする接触面の損耗は、ばね力が比較的に弱いので、大幅に減少する。
【００２８】
接触子ピン３は一方では円筒体４８内をスライドする圧縮ピストン５１によって案内され、他方では案内部材５８内を案内されている。この案内部材５８は放射状に配置されたリブによって支持体１３に連結されている。
電力遮断器の電力接触子の上記の３つのすべての実施の形態の場合、接触子要素はそれぞれ同じ部品として形成されている。同じ部品を使用すると、電力遮断器の製作コストが低減され、更にそのスペア部品の在庫管理が簡単になるという利点がある。
【００２９】
作用を説明するために、図を幾分詳しく観察する。遮断時に、接触子ピン３はその遮断運動過程で消耗板９と１４の間にアーク２３を発生する。接触子ピン３が比較的に速い遮断速度で移動するので、アーク２３は接触子ピン３の尖端４で短時間だけ燃え、直ちに消耗板１４に方向を変える。それによって、尖端４はエロージョン痕跡を生じない。消耗板９と１４はきわめて耐食性の材料からなっているので、寿命が比較的に長い。従って、電力遮断器は比較的にまれに点検すればよく、その結果電力遮断器は比較的に有用性が高い。
【００３０】
接触子ピン３の遮断運動が非常に迅速であるので、アーク２３は比較的に早くその最大長さに達する。それによって、接触子分離の直後、アークエネルギー全部がアーク領域２４での絶縁ガスの圧力付勢のために供される。アーク２３はそれを取り巻く絶縁ガスに熱負荷を与え、消弧室のアーク領域２４内の圧力を短時間高める。圧力付勢された絶縁ガスは貯蔵室１７内に短時間蓄えられる。しかし、圧力付勢された絶縁ガスの一部は一方では開口２５を経て排出室１８に流出し、他方では開口２６を経て排出室１９に流出する。接触子ピン３は通常はピストン−シリンダ−装置に連結されている。このピストン−シリンダ−装置では遮断過程の際絶縁ガスが圧縮される。この圧縮された絶縁ガスは熱によって発生した圧力付勢された絶縁ガスに加えて、管２２を経て貯蔵室１７に流入する。
【００３１】
この流入は、貯蔵室１７内の圧力が管２２内の圧力よりも低いときにのみ行われる。これは例えば、接触子分離の前あるいはアーク２３がアーク領域２４を充分に加熱できないほどアークの電流が弱いときである。しかし、アーク２３の電流がアーク領域２４を非常に強く加熱すると、比較的に大きな絶縁がス圧力が貯蔵室１７内に発生する。この大きな圧力のときに先ず最初は、ピストン−シリンダ−装置内で発生した圧縮ガスの流入は行われない。貯蔵室１７内で、蓄えられた圧力の所定の限界値を超えると、この所定の限界値を超えた後で、圧力逃がし弁２９が開放し、過剰の圧力が排出１８内に逃げて低下する。これにより、この範囲において構成要素が許容されないほど機械的に負荷されることが確実に防止される。
【００３２】
アーク領域２４内に過圧が発生している間は、非常に温度の高いイオン化されたガスが開口２５，２６を通って排出室１８，１９に流出する。この両流出範囲を構造的に形成する場合、両排出室１８，１９内への流出状態を同じにするために、両流出範囲は幾何学的に類似するよう形成する必要がある。接触子ピン３の尖端４は開口２６に向き合った排出室１９の中央に配置され、案内部材５８のリブとと共にこの範囲のガス流に影響を与える。デフレクタ４４は排出室１８内において開口２５に向き合った、尖端４に対応する個所に配置され、そこでガス流に対して同様に影響を与える。両ガス流は、流れ範囲が非常に類似するよう形成されているので、類似しており、それによってアーク領域２４で発生する圧力は両側でほぼ均一にかつ制御されて流出し、従ってアーク２３を吹き消すために貯蔵室１７内にある圧力下の絶縁ガスは、アーク２３を負荷するまで、蓄えられる。
【００３３】
本発明による電力遮断器は中電圧範囲の開閉設備にとって特に適している。電力遮断器のコンパクトな円筒状の形成は特に、金属で被包された設備に組み込むため、特に金属被包された発電機出線に組み込むために適している。更に、この電力遮断器は古くなった電力遮断器と置換するために非常に適している。というのは、遮断能力が同じかまたは改善されるときに、この電力遮断器の必要スペースが古くなった電力遮断器よりもはるかに狭くて済み、このような装備変更の際にコストのかかる構造的な変更を必要としないからである。電力遮断器が約２４〜３０ｋＶよりも高い動作電圧のために使用されるときには、間隔ａ，ｂを大きくして、要求される電圧に適合させなければならず、場合によっては接触子ピン３の遮断速度も同様に適合、すなわち高めなければなない。
【００３４】
接触子ピン３の接続速度はこの電力遮断器の場合には５〜１０ｍ／秒の範囲であり、定格電流接触子の接触子フィンガー５６は０．５〜１ｍ／秒の接続速度でその接続位置に移動する。
【図面の簡単な説明】
【図１】本発明による電力遮断器の第１の実施の形態の接触子領域の、接続（閉鎖）状態の断面図である。
【図２】本発明による電力遮断器の第１の実施の形態の接触子領域の、遮断（開放）状態の断面図である。
【図３】本発明による電力遮断器の第２の実施の形態の接触子領域の部分断面図である。
【図４】本発明による電力遮断器の概略断面図である。図の右側半部には電力遮断器の接続状態が示してあり、図の左側半部には電力遮断器の遮断状態が示してある。
【符号の説明】
１                        接触子領域
２                        中心軸線
３                        接触子ピン
４                        尖端
５，６                    消耗接触子構造体
７                        接触子保持器
８                        支持体
９                        消耗板
１０                      端部
１１                      一点鎖線
１２                      接触子保持器
１３                      支持体
１４                      消耗板
１５                      端部
１６                      隔壁
１７                      貯蔵室
１８，１９                排出室
２０                      穴
２１                      逆止弁
２２，２２ａ              管
２３                      アーク
２４                      アーク領域
２５，２６                開口
２７，２８                矢印
２９                      圧力逃がし弁
３０，３１                吹き消しコイル
３２                      巻線端部
３３                      ボルト
３４                      絶縁体
３５                      巻線端部
３６                      カバー
３７                      巻線端部
３８                      ボルト
３９                      絶縁体
４０                      巻線端部
４１                      カバー
４２                      ケーシング壁
４３                      閉鎖蓋
４４                      デフレクタ
４５                      絶縁管
４６                      ケーシング壁
４７                      蓋
４８                      円筒体
４９，５０                端子
５１                      圧縮ピストン
５２                      レバー
５３                      揺れ腕
５４                      ロッド
５５                      フィンガー保持器
５６                      接触子フィンガー
５７                      室
５８                      案内部材
ａ，ｂ                    間隔
【図１】
0004297993.tif 000002
【図２】
0004297993.tif 000003
【図３】
0004297993.tif 000004
【図４】
0004297993.tif 000005